(57)【要約】【課題】高圧ジェット洗浄装置において、ノズル先端の向きを制御可能な配管洗浄具を提供する。【解決手段】配管内の汚物等を洗浄する配管洗浄用ホースの先端部に取付ける補助具であって、複数の筒状のリングと、リング同士を接続する関節機構と、ホースの先端方向を制御するワイヤーと、ホースの先端に被せるキャップ部とから成り、ワイヤーの先端は、キャップ部の内側周縁と連結され、リングの外側面には、ワイヤーをガイドするワイヤーガイド部が設けられたことを特徴とする。【選択図】図６
2018023948.tif 000002
【特許請求の範囲】
【請求項１】
配管内の汚物等を洗浄する配管洗浄用ホースの先端部に取付ける補助具であって、
複数の筒状のリングと、
リング同士を接続する関節機構と、
ホースの先端方向を制御するワイヤーと、
ホースの先端に被せるキャップ部と、
から成り、
前記ワイヤーの先端は、前記キャップ部の内側周縁と連結され、
前記リングの外側面には、前記ワイヤーをガイドするワイヤーガイド部が設けられたことを特徴とする配管洗浄具。
【請求項２】
前記リングは少なくとも３つ設けられ、
前記関節機構はリング同士の間に１８０°間隔に対向して２つ設けられ、
隣接するリングの関節機構と、９０°ずれて配設され、
前記ワイヤーは４本設けられ、
前記ワイヤーガイド部は前記リングの外側面に９０°間隔に４つ設けられたことを特徴とする請求項１に記載の配管洗浄具。
【請求項３】
前記キャップ部の先端には、小型カメラ及びＬＥＤランプが設けられ、
前記小型カメラの電源ケーブルと信号ケーブル、および、前記ＬＥＤランプの電源ケーブルは、前記リングの外側面に配設されることを特徴とする請求項１又は２に記載の配管洗浄具。
【請求項４】
前記キャップ部は、楕円体形状であり、前記ホースの先端から噴出される水が斜め後方に噴射される複数の噴出孔が設けられたことを特徴とする請求項１〜３の何れかに記載の配管洗浄具。
【発明の詳細な説明】
【技術分野】
【０００１】
本発明は、水道管等の配管内に詰まった汚物等を洗浄する技術に関するものである。
【背景技術】
【０００２】
従来、上下水道用配管等の内部を洗浄するための装置としては、円錐状で後射型の固定ノズル体が用いられてきた。これは、後端に高圧洗浄ホースを内蔵するケーブルを接続し、固定ノズル体の後端の斜め後方に配設した噴射孔より高圧水を噴出させるものである。
しかし、かかるノズル体を使用する場合は、使用前に別途、ＣＣＤカメラ等を用いて、内部を洗浄する必要があり、手間がかかるという問題があった。
【０００３】
そこで、管路壁面の洗浄を容易とする配管用のカメラ付き高圧ジェット洗浄装置が知られている（特許文献１を参照）。これは、高圧ジェット洗浄装置の先端部にＣＣＤカメラを設けることで、配管の検査と洗浄を同時に行うことを可能としたものである。
【０００４】
しかしながら、上記特許文献１に開示されたカメラ付き高圧ジェット洗浄装置では、ノズルの進入方向を調整する機能は有しておらず、例えば、配管が分岐している場合や鋭く屈曲している場合に、意図した方向にノズルを進行させることが困難であるという問題があった。
【先行技術文献】
【特許文献】
【０００５】
【特許文献１】特開平１１−１１４５１３号公報
【発明の概要】
【発明が解決しようとする課題】
【０００６】
上記状況に鑑みて、本発明は、高圧ジェット洗浄装置において、ノズル先端の向きを制御可能な配管洗浄具を提供することを目的とする。
【課題を解決するための手段】
【０００７】
上記目的を達成すべく、本発明の配管洗浄具は、配管内の汚物等を洗浄する配管洗浄用ホースの先端部に取付ける補助具であって、複数の筒状のリングと、リング同士を接続する関節機構と、ホースの先端方向を制御するワイヤーと、ホースの先端に被せるキャップ部とから成り、ワイヤーの先端は、キャップ部の内側周縁と連結され、リングの外側面には、ワイヤーをガイドするワイヤーガイド部が設けられたことを特徴とする。かかる構成とすることで、曲がりくねった配管や分岐した配管内でも確実に洗浄できる。
【０００８】
本発明の配管洗浄具において、リングは少なくとも３つ設けられ、関節機構はリング同士の間に１８０°間隔に対向して２つ設けられ、隣接するリングの関節機構と、９０°ずれて配設され、ワイヤーは４本設けられ、ワイヤーガイド部はリングの外側面に９０°間隔に４つ設けられたことが好ましい。かかる構成とすることにより、ノズル先端の向きを、上下左右に自在に角度調整でき、配管が分岐している場合や鋭く屈曲している場合でも、意図した方向にノズルを進行させることが可能となる。
【０００９】
本発明の配管洗浄具において、キャップ部の先端には、小型カメラ及びＬＥＤランプが設けられ、小型カメラの電源ケーブルと信号ケーブル、および、ＬＥＤランプの電源ケーブルは、リングの外側面に配設されることが好ましい。これにより、配管内部の観察を行いながら、汚れた箇所を正確に判別し、洗浄を行うことが可能となる。
また、リアルタイムに観察するだけではなく、配管内部の洗浄状況の画像取得も可能であり、洗浄報告に利用することができる。得られた画像・映像は、スマートフォン等の端末に表示してもよい。
信号ケーブル及び電源ケーブルの配設箇所については、配管洗浄具のホース内部は非常に高圧となるため、信号ケーブル及び電源ケーブルがホースの外側に配設されることで、ホースの破裂を防止する。
【００１０】
本発明の配管洗浄具のキャップ部は、楕円体形状であり、ホースの先端から噴出される水が斜め後方に噴射される複数の噴出孔が設けられたことが好ましい。キャップ部が楕円体形状を呈していることにより、配管等の内部や配管洗浄具自体を傷付けることなくホースを抜き差しすることができる。また、水が斜め後方に噴射される噴出孔が設けられることにより、洗浄を行いながら、ホースを配管内部へスムーズに挿入することができる。小型カメラ等が設けられている場合には、斜め後方を洗浄することで、前方に良好な視界を得ることができる。
【発明の効果】
【００１１】
本発明によれば、高圧ジェット洗浄装置において、ノズル先端の向きを制御でき、配管が分岐している場合や鋭く屈曲している場合でも、意図した方向にノズルを進行させることができるといった効果を有する。
【図面の簡単な説明】
【００１２】
【図１】実施例１の配管洗浄具の斜視図
【図２】実施例１のリングの構造説明図
【図３】実施例１の配管洗浄具の構造説明図
【図４】配管洗浄具における洗浄イメージ図
【図５】ワイヤーガイド部の説明図であり、（１）はリング外側面上に設けたもの、（２）は２つのリングでワイヤーガイド部を挟持するように設けたものを示している。
【図６】実施例１の配管洗浄具の使用イメージ図
【発明を実施するための最良の形態】
【００１３】
以下、本発明の実施形態について、図面を参照しながら詳細に説明していく。なお、本発明の範囲は、以下の実施例や図示例に限定されるものではなく、幾多の変更及び変形が可能である。
【実施例１】
【００１４】
図１は、実施例１の配管洗浄具の斜視図を示している。図１に示すように、配管洗浄具１は、リング（２ａ〜２ｆ）、関節機構（３ａ〜３ｄ）、ワイヤー（４ａ〜４ｄ）、楕円体形状のキャップ部６から成る。
【００１５】
リング（２ａ〜２ｆ）には、円筒状のワイヤーガイド部（５ａ〜５ｃ）が設けられ、ワイヤー（４ａ〜４ｃ）が挿通されている。すなわち、ワイヤー４ａは、リング（２ａ〜２ｆ）に設けられたワイヤーガイド部５ａに順に挿通されている。同様に、ワイヤー４ｂは、リング（２ａ〜２ｆ）に設けられたワイヤーガイド部５ｂに順に挿通され、ワイヤー４ｃは、リング（２ａ〜２ｆ）の外周に設けられたワイヤーガイド部５ｃに順に挿通されている。ここでは図示しないが、リング（２ａ〜２ｆ）の背面にもワイヤーガイド部（５ａ〜５ｃ）と同様のワイヤーガイド部が設けられており、ワイヤー４ｄが挿通されている。
【００１６】
リング（２ａ〜２ｆ）は、関節機構（３ａ〜３ｄ）によって接続されている。関節機構（３ａ〜３ｄ）は、ヒンジを用いて構成され、それぞれのリングに固着された、或は、一体成形された部材同士を節点で連結している。隣接するリング間を連結する２つの関節機構は、対向する配置、すなわち、リング中心を回転軸として１８０°対向する位置に設けられている。リング２ａとリング２ｂは関節機構（３ａ，３ｂ）、リング２ｂとリング２ｃは関節機構（３ｃ，３ｄ）、リング２ｃとリング２ｄは関節機構（３ａ，３ｂ）、リング２ｄとリング２ｅは関節機構（３ｃ，３ｄ）、リング２ｅとリング２ｆは関節機構（３ａ，３ｂ）によって連結されている。関節機構（３ａ，３ｂ）と関節機構（３ｃ，３ｄ）は、リング中心を回転軸として９０°ずれるように配設されている。
また、ワイヤーガイド部（５ａ〜５ｃ）は、リング（２ａ〜２ｆ）の外周に設けられるが、関節機構（３ａ〜３ｄ）の取付部位に一致させて取付けられる。
例えば、ワイヤー４ａを後方（図１正面から見て右方向）に引っ張ることで、関節機構（３ａ，３ｂ）が屈曲し、キャップ部６先端の向きを（図１正面から見て上方向に）調整できる。このように、ワイヤー（４ａ〜４ｄ）を操作することで、自在に角度を調整することが可能である。
【００１７】
楕円体形状のキャップ部６はワイヤー（４ａ〜４ｄ）と接続されている。また、キャップ部６の側面には、噴出孔７が設けられており、斜め後方に水を噴射できる構造である。キャップ部６の先端には、小型カメラ８及びＬＥＤランプ９が設けられている。
ワイヤー（４ａ〜４ｄ）を操作することで、小型カメラ８の撮影方向やＬＥＤランプ９の照射方向を調整することが可能であり、配管内部をカメラで自在に撮影しながら、同時に洗浄を行うことができる。
なお、ここでは図示しないが、小型カメラ８には信号ケーブル及び電源ケーブルが接続され、ＬＥＤランプ９には電源ケーブルが設けられている。
【００１８】
図２は、実施例１のリングの構造説明図を示している。リング２ｃは、配管洗浄具１を構成するリングの１つである。図２に示すように、リング２ｃには、関節機構を構成する関節部材（３１ａ，３１ｂ，３２ｃ，３２ｄ）が設けられている。
関節部材３１ａと関節部材３１ｂは、１８０°間隔に対向して設けられ、同様に、関節部材３２ｃと関節部材３２ｄも、１８０°間隔に対向して設けられている。関節部材（３１ａ，３１ｂ，３２ｃ，３２ｄ）には、それぞれ節点（１８ａ〜１８ｄ）が設けられており、ピンを用いて隣接するリングと接続する構造である。具体的には、リング２ｃに隣接する一方のリングとは、関節部材（３１ａ，３１ｂ）を用いて接続され、リング２ｃに隣接するもう一方のリングとは、関節部材（３２ｃ，３２ｄ）を用いて接続される。また、関節部材（３１ａ，３１ｂ）と関節部材（３２ｃ，３２ｄ）は、９０°ずれて配設されている。
【００１９】
図３は、実施例１の配管洗浄具の構造説明図を示している。図３に示すように、ホース１０は、リング（２ｂ〜２ｄ）の内側に挿通される。
関節機構（３ｃ，３ｄ）は、隣接するリング（２ｂ，２ｃ）の間に、１８０°間隔に対向して２つ設けられ、リング２ｂとリング２ｃを接続している。また、関節機構３ａと図示しない関節機構３ｂは、隣接するリング（２ｃ，２ｄ）の間に、１８０°間隔に対向して２つ設けられ、リング２ｃとリング２ｄを接続している。
【００２０】
関節機構３ｃは、リング２ｂに設けられた関節部材３１ｃ、リング２ｃに設けられた関節部材３２ｃ及びピン３３ｃから成る。関節部材３１ｃと関節部材３２ｃは、ピン３３ｃによって回動自在に接続される。同様に、関節機構３ｄは、リング２ｂに設けられた関節部材３１ｄ、リング２ｃに設けられた関節部材３２ｄ及びピン３３ｄから成る。関節部材３１ｄと関節部材３２ｄは、ピン３３ｄによって回動自在に接続される。
また、関節機構３ａは、リング２ｃに設けられた関節部材３１ａ、リング２ｄに設けられた関節部材３２ａ及びピン３３ａから成る。関節部材３１ａと関節部材３２ａは、ピン３３ａによって回動自在に接続される。図示しないが、関節機構３ｄについても、ピンによって回動自在に接続される機構を有している。
【００２１】
このように、回動自在な関節機構（３ａ〜３ｄ）が設けられ、また、前述したように、関節機構（３ａ，３ｂ）と関節機構（３ｃ，３ｄ）は、９０°ずれるように配設されているので、ワイヤー（４ａ〜４ｄ）を操作することで、上下左右にホース先端の角度を自在に調整することが可能である。
【００２２】
図４は、配管洗浄具における洗浄イメージ図を示している。矢印１２は、ホースの進行方向を示している。図４に示すように、本来は、ホース１０内の水１１は、ホース１０の先端方向に送られ、噴出されるが、ホース１０の先端にキャップ部６が取り付けられることで、水１１は、噴出孔７からホースの斜め後方に噴射されることになる。斜め後方に噴射された水は、配管１３の内側面に噴き付けられ、配管１３の内部に付着した汚泥１７を洗浄することができる。また、斜め後方に向けて噴射されることで、ホース１０を前方へ送るための推進力が得られることになる。
【００２３】
図５は、ワイヤーガイド部の説明図であり、（１）はリング外側面上に設けたもの、（２）は２つのリングでワイヤーガイド部を挟持するように設けたものを示している。
図５（１）に示すように、リング２の外側面上にワイヤーガイド部（５ａ〜５ｄ）を設けた場合、低コストで製造できる。ただし、リング２の外側に凹凸が生じるので、使用時の配管の損傷を防止するために、使用の際には外側にカバーを設ける必要がある。
これに対して図５（２）に示すように、リング２の外側面上にワイヤーガイド部（５ａ〜５ｄ）が設けられ、さらに、ワイヤーガイド部（５ａ〜５ｄ）を覆うように、リング２０が設けられた場合は、リング２の外側に凹凸が生ぜず、配管の損傷を防止することができる。
また、これらとは異なり、例えば、リングの肉厚が大きければ、リング自体に軸方向に貫通孔を設け、それをワイヤーガイド部としてもよい。
【００２４】
図６は、実施例１の配管洗浄具の使用イメージ図を示している。図６に示すように、キャップ部６には、ホース１０が接続されている。リング（２ａ〜２ｃ）の外側には、小型カメラ８を使用するための信号ケーブルと電源ケーブルが一本にまとめられたケーブル１５と、ＬＥＤランプ９を使用するための電源ケーブルであるケーブル１６が設けられている。また、配管洗浄具１には、配管の損傷を防止するためのカバー１４が設けられている。
【００２５】
ワイヤー４ａの自由端を引っ張ると先端のキャップ部６が浮き上がり、逆に、ワイヤー４ｃの自由端を引っ張ると先端が下がる構造となっている。これにより、配管洗浄具１の先端を上下に操作することができる。同様に、ワイヤー４ｂと、ここでは図示していないワイヤー４ｄを操作して、配管洗浄具１の先端を左右に操作することも可能である。
【産業上の利用可能性】
【００２６】
本発明は、水道管等の配管内に詰まった汚物等を洗浄する器具として有用である。
【符号の説明】
【００２７】
１  配管洗浄具
２，２ａ〜２ｆ，２０  リング
３ａ〜３ｄ  関節機構
４ａ〜４ｄ  ワイヤー
５ａ〜５ｄ  ワイヤーガイド部
６  キャップ部
７  噴出孔
８  小型カメラ
９  ＬＥＤランプ
１０  ホース
１１  水
１２  矢印
１３  配管
１４  カバー
１５，１６  ケーブル
１７  汚泥
１８ａ〜１８ｄ  節点
３１ａ〜３１ｄ，３２ａ，３２ｃ，３２ｄ  関節部材
３３ａ，３３ｃ，３３ｄ  ピン
【図１】
2018023948.tif 000003
【図２】
2018023948.tif 000004
【図３】
2018023948.tif 000005
【図４】
2018023948.tif 000006
【図５】
2018023948.tif 000007
【図６】
2018023948.tif 000008